(57)【特許請求の範囲】
【請求項１】
直列接続された複数の電池セルを所定数毎にグループ化した複数のブロックにそれぞれ対応して設けられると共に前記ブロックを構成する各電池セルをそれぞれ監視する電池監視用回路が複数設けられており、
前記複数の電池監視用回路は、前記電池セルから前記電池監視用回路側に放電電流を流すことにより前記ブロックを構成する各電池セルのセル電圧を均等化する均等化放電回路をそれぞれ備えており、前記複数の電池セル毎に設けられたノイズフィルタ回路を介して前記複数の電池セルそれぞれと接続されてなる電池電圧監視装置であって、
前記電池セルと前記電池監視用回路との間には、前記ノイズフィルタ回路を介さずに、前記電池セルと前記電池監視用回路とを接続するバイパス手段を前記複数の電池セル毎に備え、
前記電池セルが前記電池監視用回路により監視される場合、当該電池セルに対して設けられた前記ノイズフィルタ回路を介して前記電池監視用回路に接続される一方、前記電池セルが前記均等化放電回路により均等化放電される場合、当該電池セルに対して設けられた前記バイパス手段によって前記電池監視用回路に接続されると共に前記バイパス手段を介して放電電流が流れるようになっており、
前記バイパス手段は、第１ツェナーダイオードと第２ツェナーダイオードとが互いに逆向きに電流を流すように直列接続された直列回路として構成されており、
前記直列回路の一方が前記電池セルと前記ノイズフィルタ回路との間に接続され、前記直列回路の他方が前記ノイズフィルタ回路と前記電池監視用回路との間に接続されていることを特徴とする電池電圧監視装置。
【請求項２】
前記ノイズフィルタ回路は、抵抗素子、コイル、およびコンデンサの少なくともいずれか１つを含んで構成されていることを特徴とする請求項１に記載の電池電圧監視装置。
【発明の詳細な説明】
【技術分野】
【０００１】
本発明は、電池電圧監視装置に関する。
【背景技術】
【０００２】
従来より、複数直列接続された各電池セル間の容量を均一にする容量調整装置が、例えば特許文献１で提案されている。具体的には、容量調整装置において、電池セル間の容量バラツキ量に基づいて電池セル毎の放電量を算出する一方、特定の電池セルの電圧を電圧源とするセルコントローラ（ＩＣ）間の消費電流の差に基づいて放電量を補正することにより、各電池セルの容量を均一にする方法が提案されている。また、電池セルのＩＣ入力においては、入力ノイズに対応するため、フィルタ回路が設けられているのが一般的である。
【先行技術文献】
【特許文献】
【０００３】
【特許文献１】特開２００７−２４４０５８号公報
【発明の概要】
【発明が解決しようとする課題】
【０００４】
しかしながら、上記従来の技術では、電池セルの放電電流とフィルタ回路とで発生する電圧ドロップによる影響により、電池セルの残存容量の検出精度が悪化したり、放電不可能となる現象が発生したりする。このため、電池セルを放電するための放電線と電池セルのセル電圧を検出するための検出線とを分ける必要が生じてしまう。
【０００５】
本発明は上記点に鑑み、電池セルの放電時にフィルタ回路による電圧ドロップを抑制することができる電池電圧監視装置を提供することを目的とする。
【課題を解決するための手段】
【０００６】
上記目的を達成するため、請求項１に記載の発明では、複数の電池監視用回路は、電池セルから電池監視用回路側に放電電流を流すことによりブロックを構成する各電池セルのセル電圧を均等化する均等化放電回路をそれぞれ備えており、複数の電池セル毎に設けられたノイズフィルタ回路を介して複数の電池セルそれぞれと接続されており、電池セルと電池監視用回路との間には、ノイズフィルタ回路を介さずに、電池セルと電池監視用回路とを接続するバイパス手段を複数の電池セル毎に備えている。
【０００７】
そして、電池セルが電池監視用回路により監視される場合、当該電池セルに対して設けられたノイズフィルタ回路を介して電池監視用回路に接続される一方、電池セルが均等化放電回路により均等化放電される場合、当該電池セルに対して設けられたバイパス手段によって電池監視用回路に接続されると共にバイパス手段を介して放電電流が流れることを特徴とする。
【０００８】
これによると、電池セルの監視時には電池セルはノイズフィルタ回路を介して電池監視用回路に接続されるので、ノイズフィルタ回路のフィルタ機能により電池セルを精度良く監視することができる。一方、電池セルの均等化放電時には電池セルから電池監視用回路に流れる大電流の放電電流はノイズフィルタ回路を介さずにバイパス手段を介して流れるので、ノイズフィルタ回路による電圧ドロップを抑制することができる。
【００１１】
また、請求項１に記載の発明では、バイパス手段は、第１ツェナーダイオードと第２ツェナーダイオードとが互いに逆向きに電流を流すように直列接続された直列回路として構成されており、直列回路の一方が電池セルとノイズフィルタ回路との間に接続され、直列回路の他方がノイズフィルタ回路と電池監視用回路との間に接続されていることを特徴とする。
【００１２】
これによると、均等化放電回路が作動した際には、電池セルの放電電流がバイパス手段に流れることにより当該放電電流とは逆向きに電流を流すツェナーダイオードに降伏電圧を超える電圧が印加されるので、ツェナーダイオードにより構成される直列回路に放電電流を流すことができる。
【００１３】
そして、請求項２に記載の発明のように、ノイズフィルタ回路を、抵抗素子、コイル、およびコンデンサの少なくともいずれか１つを含んで構成することができる。
【図面の簡単な説明】
【００１４】
【図１】本発明の第１実施形態に係る電池電圧監視装置を含んだ電池電圧監視システムの全体構成図である。
【図２】図１のうちの１つのブロックとこのブロックに対応する電池監視用回路とを示した図である。
【図３】第１実施形態において、均等化放電時における放電電流の経路を示した図である。
【図４】本発明の第２実施形態に係る１つのブロックとこのブロックに対応する電池監視用回路とを示した図である。
【図５】第２実施形態において、均等化放電時における放電電流の経路を示した図である。
【発明を実施するための形態】
【００１５】
以下、本発明の実施形態について図に基づいて説明する。なお、以下の各実施形態相互において、互いに同一もしくは均等である部分には、図中、同一符号を付してある。
【００１６】
（第１実施形態）
以下、本発明の第１実施形態について図を参照して説明する。図１は、本実施形態に係る電池電圧監視装置を含んだ電池電圧監視システムの全体構成図である。この図に示されるように、電池電圧監視システムは、組電池１０と電池電圧監視装置２０とを備えて構成されている。
【００１７】
組電池１０は、最小単位である電池セル１１が直列に複数接続されて構成されており、所定数の電池セル１１毎（例えば４個）にグループ化されたブロック１２の直列接続体である。電池セル１１は例えば１２０個等の多数が直列に接続され、電池セル１１として充電可能なリチウムイオン二次電池が用いられる。そして、組電池１０はハイブリッド車等の電気自動車に搭載され、インバータやモータ等の負荷を駆動するための電源や電子機器の電源等に用いられる。つまり、電池電圧監視装置２０は、ハイブリッド車等の電気自動車に適用される。
【００１８】
電池電圧監視装置２０は、例えば、組電池１０の残存容量検出機能、二次電池である電池セル１１の過充電および過放電を検出する過充放電検出機能、装置の故障を検出する故障診断機能等を有する装置である。
【００１９】
組電池１０の残存容量検出機能は、二次電池である電池セル１１で構成される組電池１０全体の残存容量（State of Charge；ＳＯＣ）を検出する機能である。残存容量は、組電池１０の電圧や組電池１０に流れる電流から求められる。
【００２０】
過充放電検出機能は、電池セル１１のセル電圧と閾値とを比較することにより電池セル１１のセル電圧の監視を行う機能である。電池セル１１が二次電池の場合、電池電圧監視装置２０は電池セル１１の電圧が過充電を検出する閾値と過放電を検出する閾値との間つまり所定範囲にあるかを監視することとなる。また、故障診断機能は、電池電圧監視装置２０を構成する回路の一部が何らかの原因で故障したことを検出する機能である。
【００２１】
このような各機能を実現するため、電池電圧監視装置２０は、複数の電池監視用回路３０と、マイクロコンピュータ４０（以下、マイコン４０という）と、を備えている。
【００２２】
電池監視用回路３０は、マイコン４０の指令に従って、各電池セル１１のセル電圧の検出、電池セル１１に流れる電流の検出、各電池セル１１のセル電圧の均等化等を行う回路であり、複数のブロック１２にそれぞれ対応して設けられている。このような電池監視用回路３０として、例えばＩＣが用いられる。
【００２３】
また、マイコン４０は、図示しないＣＰＵ、ＲＯＭ、ＥＥＰＲＯＭ、ＲＡＭ等を備え、ＲＯＭ等に記憶されたプログラムに従って上記各機能を実行する制御回路である。このようなマイコン４０は、電池監視用回路３０に対して指示信号を出力することにより、電池監視用回路３０に各電池セル１１のセル電圧の検出等の所望の処理を実行させる。そして、マイコン４０は、各電池監視用回路３０からデータを取得し、残存容量の演算（組電池状態監視）や過充放電判定や故障判定を行う。
【００２４】
図２は、電池電圧監視システムのうち、１つのブロック１２とこのブロック１２に対応する電池監視用回路３０とを示した図である。この図に示されるように、電池監視用回路３０は各電池セル１１を監視するため、各電池セル１１のセル電圧は電池セル１１の両極に接続された配線を介して電池監視用回路３０に入力される。
【００２５】
すなわち、電池セル１１の正極と負極にそれぞれ配線が接続されている。また、上述のように、各電池セル１１はそれぞれ直列接続されているので、ブロック１２のうち最も高電圧側の電池セル１１の正極と最も低電圧側の電池セル１１の負極とにそれぞれ接続された配線以外の配線については、一方の電池セル１１の負極に接続される配線と他方の電池セル１１の正極に接続される配線とが共通化されて１本の配線とされている。
【００２６】
そして、図２に示されるように、電池電圧監視装置２０は、各電池セル１１と電池監視用回路３０との間に、ノイズフィルタ回路２１を備えている。このノイズフィルタ回路２１は、電池セル１１のセル電圧を電池監視用回路３０に入力する際の入力ノイズに対応するために電池監視用回路３０の入力保護を目的として設けられたものであり、複数の電池セル１１毎に設けられている。また、ノイズフィルタ回路２１は、電池セル１１と電池監視用回路３０とを接続する配線に接続されている。
【００２７】
本実施形態では、ノイズフィルタ回路２１は抵抗素子により構成されている。この抵抗素子は、各電池セル１１と電池監視用回路３０とを接続する各配線に設けられている。すなわち、各電池セル１１の両極は抵抗素子を介して電池監視用回路３０に接続されている。この抵抗素子の抵抗値は、この抵抗素子による電圧ドロップの影響がほとんどない１０Ω〜１ｋΩ程度である。
【００２８】
そして、各電池監視用回路３０は、各電池セル１１のセル電圧を検出するためのセル電圧検出回路３１と、各電池セル１１のセル電圧の均等化を行うための均等化放電回路３２とをそれぞれ備えている。
【００２９】
セル電圧検出回路３１は電池セル１１のセル電圧を検出する回路であり、ブロック１２を構成する電池セル１１毎に設けられている。このセル電圧検出回路３１は、例えばコンパレータや差動増幅、Ａ／Ｄコンバータを用いた回路により構成される。なお、従来のフライングキャパシタ式の電圧検出回路を採用しても良い。そして、セル電圧検出回路３１が検出したセル電圧のデータは、マイコン４０に順次出力される。
【００３０】
一方、均等化放電回路３２は、均等化放電の対象となった電池セル１１から放電電流を流すことによりブロック１２を構成する各電池セル１１のセル電圧を均等化する回路である。このような均等化放電回路３２は、図２に示されるように、例えば電池セル１１それぞれに対応したトランジスタ３３を備えて構成されている。均等化放電回路３２は、このトランジスタ３３をオンすることにより、電池セル１１から電池監視用回路３０側に放電電流が流れるようになっている。
【００３１】
さらに、電池電圧監視装置２０は、電池セル１１と電池監視用回路３０との間に、ノイズフィルタ回路２１を介さずに、電池セル１１と電池監視用回路３０とを接続するバイパス部２２を複数の電池セル１１毎に備えている。
【００３２】
バイパス部２２は、バイパス配線２３とダイオード素子２４とを備えて構成されている。このうち、バイパス配線２３は、電池セル１１の正極とノイズフィルタ回路２１との間と、電池監視用回路３０と、を接続する配線である。より具体的には、バイパス配線２３は、電池セル１１の正極とノイズフィルタ回路２１との間と、均等化放電回路３２のうち当該電池セル１１に対応したトランジスタ３３のコレクタと、を接続する配線である。また、ダイオード素子２４は、電池監視用回路３０と電池セル１１の負極との間に、電池監視用回路３０から電池セル１１の負極に電流が流れるように接続されている。そして、ダイオード素子２４は、順方向電圧を超える電圧が印加されることで電流を流す。このような構成のバイパス部２２が複数の電池セル１１毎に設けられている。
【００３３】
上記構成により、均等化放電回路３２の各トランジスタ３３のコレクタは、各電池セル１１に対応して設けられた各バイパス部２２のバイパス配線２３に接続され、各トランジスタ３３のエミッタはダイオード素子２４のアノードに接続されている。すなわち、電池セル１１の正極側は抵抗素子を介さずにバイパス配線２３を介して電池監視用回路３０（均等化放電回路３２のトランジスタ３３のコレクタ）に接続され、電池セル１１の負極側は抵抗素子を介さずにダイオード素子２４を介して電池監視用回路３０（均等化放電回路３２のトランジスタ３３のエミッタ）に接続されている。
【００３４】
以上が、本実施形態に係る電池電圧監視装置２０および電池電圧監視システムの全体構成である。
【００３５】
次に、電池電圧監視装置２０における各電池セル１１の均等化動作について説明する。均等化処理は、例えば、マイコン４０から均等化動作の開始を指示する指示信号が電池監視用回路３０に出力されることで開始される。
【００３６】
そして、電池監視用回路３０は、マイコン４０から均等化動作の開始を指示する指示信号が入力されると、セル電圧検出回路３１にてブロック１２を構成する各電池セル１１のセル電圧を検出して各電池セル１１間のセル電圧を検出する。
【００３７】
このように、電池セル１１が電池監視用回路３０により監視される場合、電池セル１１は当該電池セル１１に対して設けられたノイズフィルタ回路２１を介して電池監視用回路３０に接続される。すなわち、当該電池セル１１に対応する均等化放電回路３２のトランジスタ３３はオフになっているので、電池セル１１の両極は、抵抗素子を介して電池監視用回路３０つまりセル電圧検出回路３１に接続されると共にセル電圧検出回路３１によりセル電圧が検出される。そして、電池監視用回路３０は、検出したセル電圧をマイコン４０に出力する。
【００３８】
マイコン４０は、電池監視用回路３０から取得したセル電圧のばらつきに基づいて、各電池セル１１のうち放電が必要な高電圧となる電池セル１１を決定すると共に、当該電池セル１１にセル電圧の均等化動作を行う時間を決定する。そして、マイコン４０は、電池監視用回路３０に対して均等化動作を行う旨や均等化動作を行う時間を指示する指示信号を出力する。
【００３９】
一方、電池監視用回路３０は、マイコン４０から指示信号を受け取ると、均等化放電回路３２のうち該当する電池セル１１に対応したトランジスタ３３をオンする。このように、電池セル１１が均等化放電回路３２により均等化放電される場合、電池セル１１は当該電池セル１１に対して設けられたバイパス部２２によって電池監視用回路３０に接続されると共に、バイパス部２２を介して放電電流が流れる。
【００４０】
具体的に、図３を参照して説明する。図３は、均等化放電時における放電電流の経路を示した図である。ここでは、例えば、各電池監視用回路３０のうちの１つの電池監視用回路３０において、この電池監視用回路３０に対応したブロック１２のうち最も高電圧側の電池セル１１を均等化放電させるとする。
【００４１】
図３の矢印で示されるように、均等化放電回路３２のトランジスタ３３がオンするため、電池セル１１の正極から、バイパス部２２の一部であるバイパス配線２３、均等化放電回路３２のトランジスタ３３、およびバイパス配線２３の一部であるダイオード素子２４を介して電池セル１１の負極に戻る経路が形成され、この経路に放電電流が流れる。
【００４２】
例えば、電池セル１１のセル電圧を４Ｖとし、均等化放電回路３２のトランジスタ３３が１Ｖ程度の電圧でオンするように設計すると、トランジスタ３３のエミッタ−コレクタ間の電圧が２Ｖ程度になる。したがって、トランジスタ３３がオンすると、ダイオード素子２４のアノードに２Ｖ程度の電圧が印加されるので、ダイオード素子２４に放電電流が流れる。
【００４３】
このように、電池セル１１と電池監視用回路３０との間では、放電電流はバイパス部２２を介して流れ、ノイズフィルタ回路２１である抵抗素子には流れないので、放電電流が抵抗素子に流れることによって抵抗素子に電圧ドロップが生じることはない。このため、電池セル１１の均等化放電の際に、抵抗素子に大電流が流れるようにするために抵抗素子の抵抗値を小さくする必要もないので、抵抗素子の抵抗値の上限に制限はなく、抵抗素子の抵抗値を自由に設定することができる。
【００４４】
そして、電池監視用回路３０は、予め設定された均等化動作を行う時間をカウントし、当該時間が経過するとトランジスタ３３をオフして均等化放電を終了する。なお、１つのブロック１２において上記のような均等化処理が必要な電池セル１１が複数ある場合、マイコン４０は電池監視用回路３０に対して該当する電池セル１１を順番に放電させ、各電池セル１１のセル電圧を均等化させる。また、上記では均等化処理において各電池セル１１のセル電圧を検出していたが、例えば、残存容量を検出する際に各電池監視用回路３０から取得する各電池セル１１のセル電圧のデータを利用して、どの電池セル１１を均等化放電させるかを判定しても良い。
【００４５】
以上説明したように、本実施形態では、電池セル１１と電池監視用回路３０との間に、電池セル１１の均等化放電時に、ノイズフィルタ回路２１を介さずに電池セル１１と電池監視用回路３０とを接続するバイパス部２２を設けたことが特徴となっている。
【００４６】
これによると、電池セル１１の監視時には電池セル１１はノイズフィルタ回路２１を介して電池監視用回路３０に接続されるので、ノイズフィルタ回路２１によってノイズが除去される。このため、電池セル１１を精度良く監視することができる。
【００４７】
一方、電池セル１１の均等化放電時には電池セル１１から電池監視用回路３０に流れる放電電流はノイズフィルタ回路２１を介さずにバイパス部２２を介して流れるので、放電電流がノイズフィルタ回路２１を流れることによって生じる電圧ドロップを抑制することができる。このように、放電電流はノイズフィルタ回路２１である抵抗素子に流れないため、抵抗素子の抵抗値を小さくしなくて済むので、抵抗素子によるノイズフィルタの性能を高めることができる。このため、電池セル１１の監視時にはノイズフィルタ回路２１のフィルタ機能によって電池セル１１を精度良く監視することができる。
【００４８】
また、本実施形態では、バイパス部２２をバイパス配線２３とダイオード素子２４により構成している。これにより、均等化放電回路３２が作動してトランジスタ３３がオンすることにより、電池セル１１の放電電流をバイパス配線２３を介してトランジスタ３３に流し、さらに、トランジスタ３３からダイオード素子２４を介して電池セル１１に流すことができる。
【００４９】
そして、バイパス部２２の一部であるダイオード素子２４は、ＩＣである電池監視用回路３０とは完全に分離された構成を取っているので、ＩＣのピンが増えるということもない。
【００５０】
なお、本実施形態の記載と特許請求の範囲の記載との対応関係については、バイパス部２２が特許請求の範囲の「バイパス手段」に対応する。
【００５１】
（第２実施形態）
本実施形態では、第１実施形態と異なる部分について説明する。図４は、１つのブロック１２とこのブロック１２に対応する電池監視用回路３０とを示した図である。この図に示されるように、本実施形態では、バイパス部２２は、第１ツェナーダイオード２５と第２ツェナーダイオード２６とが互いに逆向きに電流を流すように直列接続された直列回路として構成されている。
【００５２】
この直列回路の一方（第１ツェナーダイオード２５のカソード）は電池セル１１とノイズフィルタ回路２１との間に接続されている。また、直列回路の他方（第２ツェナーダイオード２６のカソード）がノイズフィルタ回路２１と電池監視用回路３０との間に接続されている。
【００５３】
具体的には、第１ツェナーダイオード２５のアノードと第２ツェナーダイオード２６のアノードとが接続されて直列回路が構成されている。また、第１ツェナーダイオード２５のカソードが電池セル１１の正極（電池セル１１とノイズフィルタ回路２１との間）に接続され、第２ツェナーダイオード２６のカソードが電池監視用回路３０（ノイズフィルタ回路２１と電池監視用回路３０との間）に接続されている。すなわち、バイパス部２２の直列回路がノイズフィルタ回路２１である抵抗素子に並列に接続されている。
【００５４】
このような構成のバイパス部２２は、電池セル１１と電池監視用回路３０との間に設けられた抵抗素子全てに対して設けられている。
【００５５】
そして、本実施形態では、電池セル１１の正極側に設けられたバイパス部２２の第１ツェナーダイオード２５と、電池セル１１の負極側に設けられたバイパス部２２の第２ツェナーダイオード２６と、が電池セル１１に対して逆バイアス接続されている。このため、各ツェナーダイオード２５、２６に降伏電圧以上の電圧が印加されると各バイパス部２２に電流が流れる。
【００５６】
また、本実施形態では、図４に示されるように、均等化放電回路３２のトランジスタ３３は、電池セル１１の両極に接続された各配線の間に接続されている。すなわち、トランジスタ３３のコレクタは電池セル１１の正極側の配線に接続され、エミッタは電池セル１１の負極側の配線に接続されている。
【００５７】
以上のような構成によると、電池セル１１が電池監視用回路３０により監視される場合、均等化放電回路３２のトランジスタ３３はオフになっているので、電池セル１１の両極に接続された各バイパス部２２に降伏電圧を超える電圧差は生じない。したがって、電池セル１１は当該電池セル１１に対して設けられたノイズフィルタ回路２１を介して電池監視用回路３０に接続されると共にセル電圧検出回路３１によりセル電圧が検出される。
【００５８】
一方、電池セル１１が均等化放電回路３２により均等化放電される場合、第１実施形態と同様に、電池セル１１は当該電池セル１１に対して設けられたバイパス部２２によって電池監視用回路３０に接続されると共に、バイパス部２２を介して放電電流が流れる。
【００５９】
具体的に、図５を参照して説明する。図５は、均等化放電時における放電電流の経路を示した図である。均等化放電回路３２のトランジスタ３３がオンすると、図５の矢印で示されるように、電池セル１１の正極から、電池セル１１の正極側のバイパス部２２、均等化放電回路３２のトランジスタ３３、および電池セル１１の負極側のバイパス部２２を介して電池セル１１の負極に戻る経路が形成され、この経路に放電電流が流れる。
【００６０】
例えば、上述のように、電池セル１１のセル電圧を４Ｖとし、均等化放電回路３２のトランジスタ３３が１Ｖ程度の電圧でオンするように設計すると、トランジスタ３３のエミッタ−コレクタ間の電圧が２Ｖ程度になる。したがって、各ツェナーダイオード２５、２６の降伏電圧を１Ｖ程度に設定しておくと、トランジスタ３３がオンしたときに電池セル１１の正極側のバイパス部２２には電池セル１１の正極側とトランジスタ３３のコレクタ電圧との電圧差の電圧（２Ｖ程度）が印加される。すなわち、電池セル１１の正極側のバイパス部２２の第１ツェナーダイオード２５に降伏電圧以上の電圧が印加されるので、この第１ツェナーダイオード２５がブレークダウンする。このため、電池セル１１の正極側のバイパス部２２に放電電流が流れる。一方、トランジスタ３３がオンしたことにより、電池セル１１の負極側のバイパス部２２には電池セル１１の負極側とトランジスタ３３のエミッタ電圧との電圧差（１．５Ｖ程度）の電圧が印加される。すなわち、電池セル１１の負極側のバイパス部２２の第２ツェナーダイオード２６にも降伏電圧以上の電圧が印加されるので、この第２ツェナーダイオード２６がブレークダウンする。このため、電池セル１１の負極側のバイパス部２２に放電電流が流れる。
【００６１】
このように放電電流が流れると、電池セル１１と電池監視用回路３０との間では、放電電流はバイパス部２２を介して流れ、ノイズフィルタ回路２１である抵抗素子には流れないので、放電電流が抵抗素子に流れることによって抵抗素子に電圧ドロップが生じることはない。この場合、ツェナーダイオード２５、２６に順方向電圧の電圧ドロップが生じるが、ダイオードの特性上、電圧ドロップは放電電流の大きさに関わらずほぼ一定である。言い換えると、各ツェナーダイオード２５、２６はクリッピングダイオードであると言える。
【００６２】
以上説明したように、本実施形態では、バイパス部２２として２つのツェナーダイオード２５、２６を互いに逆向きに接続し、この直列回路をノイズフィルタ回路２１である抵抗素子に並列に接続したことが特徴となっている。
【００６３】
これにより、電池セル１１の均等化放電時には、電池セル１１から電池監視用回路３０に流れる放電電流は、ノイズフィルタ回路２１を介さずにツェナーダイオード２５、２６により構成されるバイパス部２２を介して流れるので、放電電流がノイズフィルタ回路２１を流れることによって生じる電圧ドロップを抑制することができる。
【００６４】
このように、バイパス部２２を各ツェナーダイオード２５、２６の直列回路として構成することで、放電電流が流れることによって電圧ドロップが生じる部分、すなわちノイズフィルタ回路２１である抵抗素子に並列に接続するだけで良いという利点もある。この場合、ＩＣである電池監視用回路３０のピンの数も増えないので、電池監視用回路３０に係る回路設計が複雑になるということもない。
【００６５】
（他の実施形態）
上記各実施形態では、電池電圧監視装置２０をハイブリッド車等の電気自動車に適用することについて説明したが、これは電池電圧監視装置２０の適用の一例であり、車両に限らず電池セル１１の監視を行うものとして用いることができる。
【００６６】
また、上記各実施形態に示された電池電圧監視装置２０の構成は一例であり、用途等に応じて適宜変更することができる。例えば、均等化放電回路３２は各電池セル１１に対応したトランジスタ３３を複数備えた構成になっているが、均等化放電回路３２の構成はこれに限らず放電電流を流すことができる構成になっていれば良い。
【００６７】
上記各実施形態では、ノイズフィルタ回路２１は抵抗素子で構成されていたが、ノイズフィルタ回路２１は抵抗素子だけでなく、抵抗素子の他にコイル（インダクタ）やコンデンサ等の素子のいずれか１つを含んで構成されていれば良い。例えば、ノイズフィルタ回路２１は、抵抗素子とコイルにより構成されるＲＬ回路や、抵抗素子とコンデンサにより構成されるＲＣ回路や、コイルとコンデンサにより構成されるＬＣ回路や、抵抗素子とコイルとコンデンサにより構成されるＲＬＣ回路でも良い。この場合、コイルは抵抗素子と同様に各電池セル１１と電池監視用回路３０とを接続する各配線に設けられる。つまり、コイルは抵抗素子に直列に接続されるかまたは各電池セル１１と電池監視用回路３０との間に接続される。一方、コンデンサは、抵抗素子やコイルのうち電池監視用回路３０側において電池セル１１の両極間に接続される。
【符号の説明】
【００６８】
１０  組電池
１１  電池セル
１２  ブロック
２０  電池電圧監視装置
２１  ノイズフィルタ回路
２２  バイパス部（バイパス手段）
２３  バイパス配線
２４  ダイオード素子
２５  第１ツェナーダイオード
２６  第２ツェナーダイオード
３０  電池監視用回路
３２  均等化放電回路
【図１】
0005533010.tif 000002
【図２】
0005533010.tif 000003
【図３】
0005533010.tif 000004
【図４】
0005533010.tif 000005
【図５】
0005533010.tif 000006